(57)【要約】【課題】  本発明は記録層に情報トラックを有する光記録媒体のためのピックアップ（９）及び該ピックアップ（９）を有する光記録媒体にアクセスするための装置に関する。【解決手段】  ピックアップ（９）は記録層に対して直角のフォーカス方向（Ｆ）に向けた位置制御のためのフォーカシングサーボ及び、マグネット（６）と相互作用するフォーカス方向（Ｆ）に向けて重ねられた２つの部分コイル（４１、４２）に分割されたフォーカシングコイルを有し、サスペンションワイヤで吊られた移動可能なアクチュエータ（１）を有する。よりコンパクトな設計を可能にするため、上側部分コイル（４１）は最上部のサスペンションワイヤ（３）の上に配置されている。【選択図】  図２
2007012255.tif 000002
【特許請求の範囲】
【請求項１】
記録層に情報トラックを有する光記録媒体のためのピックアップ（９）であって、前記ピックアップ（９）は前記記録層に対して略直角であるフォーカス方向（Ｆ）に位置制御を行うためのフォーカスサーボと、マグネット（６）と相互作用するフォーカスコイル（４１、４２）がついた移動可能なアクチュエータ（１）とを有し、
前記アクチュエータはサスペンションワイヤ（３）によって吊るされており、
前記フォーカスコイルは上側の部分フォーカスコイル（４１）と下側の部分フォーカスコイル（４２）とに分割されてフォーカス方向（Ｆ）に重ねて配列され、該上側の部分フォーカスコイル（４１）が前記記録媒体に近い側に存在しているピックアップにおいて、
該上側の部分フォーカスコイル（４１）がフォーカス方向（Ｆ）で該サスペンションワイヤ（３）の最上部の上に配置されていることを特徴とするピックアップ（９）。
【請求項２】
下側の部分フォーカスコイル（４２）がフォーカス方向（Ｆ）で最上部と最下部のサスペンションワイヤ（３）の間に配置されている、請求項１に記載のピックアップ。
【請求項３】
アクチュエータ（１）に保持されたレンズ（２）の少なくとも一部が上側の部分フォーカスコイル（４１）の中心部と交差している、請求項１に記載のピックアップ。
【請求項４】
マグネット（６）が、フォーカス方向でその上端部（６１）が上側の部分フォーカスコイル（４１）の近傍に、その下端部（６２）が下側の部分フォーカスコイル（４２）の近傍にあるように配置されている、請求項１に記載のピックアップ。
【請求項５】
請求項１から４のいずれかに記載のピックアップ（９）を備えていることを特徴とする光記録媒体にアクセスするための装置。
【発明の詳細な説明】
【技術分野】
【０００１】
本発明は、光記録媒体のためのピックアップ、具体的にはその機械的配置に関し、そして、該ピックアップを有する、光記録媒体にアクセスするための装置に関する。
【背景技術】
【０００２】
情報トラックを有する光記録媒体からの読み出し又は該光記録媒体への書き込み用機器では、記録媒体の記録箇所にアクセスするためにピックアップが用いられる。情報トラックに追従するために、記録媒体とピックアップは互いに関連して動かされる。典型的に、ピックアップ内で一つ又はそれ以上の光が生み出され、記録媒体内の記録層上の目的箇所に合焦させられ、そして、記録媒体の読み出し時に、目的箇所から来る一つ以上の読み出し光は光検出器に投射され、そこで光はさらなる計算のために電気信号に変換される。
【０００３】
上記機器に搭載されてピックアップに相対的に動く記録媒体は、目的箇所が公称位置に対して相対的に変化するため、位置誤差を生じる可能性がある。位置誤差は、情報トラックに対して少なくとも実質的に斜め又は垂直の方向の記録層内に起こり、トラッキングエラーと呼ばれ、その方向は対応してトラッキング方向と呼ばれる。記録層に対して少なくとも実質的に垂直の方向に起こるものがフォーカスエラーと呼ばれ、その方向は対応してフォーカス方向と呼ばれる。また、ピックアップに対する媒体の方向が公称方向から偏向した状態で発生するものがチルトエラーと呼ばれる。トラッキング方向とフォーカス方向の両方に対して直角である方向は以降でインフォメーション方向と呼ぶ。なぜなら、それは目的箇所の情報トラックに対して正接の方向だからである。
【０００４】
光を目的箇所に合焦し続け、かつ読み出し光が光検出器に入り続けるように、典型的に、光学媒体のピックアップはアクチュエータと呼ばれるものを有する。典型的に、アクチュエータはレンズを保持する可動部を有し、それは電流を加えられたコイルと相互作用するマグネットによって位置決定される。いわゆるトラッキングサーボループが、トラッキング方向に関して可動部の位置を制御し、いわゆるフォーカスサーボループが、フォーカス方向に関して可動部の位置を制御する。そして、一部のピックアップでは、いわゆるチルトサーボループが、読み出し光の光検出器への入射に影響を及ぼす読み出し光の角度を制御する。トラッキング方向及びフォーカス方向はともに、フォーカシング、トラッキング、チルトの動きが起こる動き面にわたっている。アクチュエータの可動部は、典型的に、インフォメーション方向と平行にすなわち動き面に直角に、弾性を有するサスペンションワイヤによって吊るされている。
【０００５】
日本国公開番号  特開２００３−１７３５５６号は、トラッキング方向の位置制御のためのトラッキングサーボ及びフォーカス方向の位置制御のためのフォーカスサーボを有する光記録媒体のためのピックアップを示している。そのフォーカスコイルは、フォーカス方向に重ねられた２つのコイルに分割されている。ピックアップは、マグネットと相互作用するコイルを有する移動可能なアクチュエータを有する。
【発明の開示】
【発明が解決しようとする課題】
【０００６】
上述のアクチュエータは、光ビームを発生させるレーザダイオードと光検出器とをレンズ下の光学経路に置くために余分な空間を必要とし、よって、ピックアップのフォーカス方向の容量が増加する、という難点を有していることがわかる。本発明により解決されるべき問題は、この点に関して改善されたアクチュエータを有するピックアップを提案することである。
【課題を解決するための手段】
【０００７】
本発明によるピックアップは記録層に情報トラックを有する光記録媒体のためのピックアップであって、ピックアップは記録層に対して略直角であるフォーカス方向に位置制御を行うためのフォーカスサーボと、マグネットと相互作用するフォーカスコイルがついた移動可能なアクチュエータとを有し、アクチュエータはサスペンションワイヤによって吊るされており、フォーカスコイルは上側の部分フォーカスコイルと下側の部分フォーカスコイルとに分割されてフォーカス方向に重ねて配列され、上側の部分フォーカスコイルが記録媒体に近い側に存在しているピックアップにおいて、上側の部分フォーカスコイルがフォーカス方向でサスペンションワイヤの最上部の上に配置されていることが好ましい。
【０００８】
本発明によるピックアップは、分割された又はスプリットされたフォーカスコイルを備えており、上側の部分フォーカスコイルはフォーカス方向でサスペンションワイヤの最上部の上に配置されている。このことが、上側の部分フォーカスコイルが従来は使用されていない領域、すなわちレンズのまわり又は近傍スペースを使用し、その結果、アクチュエータの他の構成部品をよりコンパクトに配置することを可能にする、という利点を有する。
【０００９】
そうしたピックアップにおいて、下側の部分フォーカスコイルはフォーカス方向で最上部と最下部のサスペンションワイヤの間に配置されていることが好ましい。このことが、アクチュエータ本体の底面部を切断することにより、レンズ下の空間がアクチュエータの側部の空間に広くつながる、という利点を有する。４５度のミラーを使用する際、この空間がフォーカス方向で平らなピックアップの設計を可能にする。
【００１０】
上側の部分フォーカスコイルは、レンズの少なくとも一部がその中心部と交差している、すなわち、レンズが上側の部分フォーカスコイルの内部に位置していることが好ましい。このことが、レンズ周辺の空間が、可能な限り最大限に、有用な構成部品のために使用され、ピックアップの他の場所にスペース節約の可能性を開く、という利点を有する。
【００１１】
両フォーカスコイルと各サスペンションワイヤの相対的な位置に関わらず、マグネットは、フォーカス方向でマグネットのコイルに対面する側部の上端部が上側の部分フォーカスコイルの近傍に、対応する下端部が下側の部分フォーカスコイルの近傍にあるように配置されているのが好ましい。このことが、磁界がマグネットの中部よりも典型的に強い位置で、両部分フォーカスコイルがマグネットに対面する、という利点を有する。このことが、アクチュエータの効率性及び感度を改善する。そして、従来の設計では有効活用されていない点である。意図的にコイルの巻き線を磁界が最も強い場所に配置することにより、そして、磁界が弱いと知られている場所に置くのを避けることにより、マグネットとコイルの相互作用の効率性が改善される。
【００１２】
本発明による装置は、ここに記載されたピックアップを備えている、光記録媒体にアクセスするための装置である。
【発明を実施するための最良の形態】
【００１３】
本発明の典型的な実施例が図に解説されており、以下の記載によりさらに詳細に説明されている。各図は光ディスクである記録媒体と、反射光である読み出し光とに言及している。このことに関わらず、本発明が、記録層に情報トラックを有する（カード型やテープ型のような）あらゆる種類の光記録媒体に採用されうるということは、当業者にとって自明である。そして、読み出し方式は反射型であるか変換型であるかを問わない。
【００１４】
一般的なタイプの光記録媒体は光ディスクである。光ディスク媒体において、情報トラックは螺旋状又は同心円状に形成されている。光ディスクのピックアップにおいて、ピックアップに対応する媒体の動きは、例えば、いわゆるスピンドルモータによってディスクを回転させ、そして、例えば、ステップモータ、ねじ付きスピンドル、又は当該技術において同等の直線位置決め装置によって、ピックアップがディスクの中心に対して半径方向に移動することによって達成される。
【００１５】
光ディスクのピックアップにおいて、トラッキング方向は半径方向に対応する。そして合焦の方向はディスクの回転軸と平行の軸方向に対応する。
【００１６】
以下の記述では反射型光ディスクを仮定し、読み出し光は、ディスクの内外表面又は記録層で反射する入射光に起因する反射光に対応する。
【００１７】
図１は、本発明によるピックアップ９の一部の斜視図を示す。ピックアップ９は、レンズ２を保持し、サスペンションワイヤ３により吊るされ、上側の部分フォーカスコイル４１及び下側の部分フォーカスコイル４２を有するアクチュエータ１を有する。トラッキングコイル５が部分的に見えている。アクチュエータの両面にはマグネット６が見える。この図及び以降の図において、トラッキング方向、フォーカス方向、インフォメーション方向の各方向を、各々Ｔ、Ｆ、Ｉで示す。
【００１８】
図２は、図１のピックアップ９のアクチュエータ１を、サスペンションワイヤ３及びマグネット６とともに示す。上側の部分フォーカスコイル４１が、フォーカス方向Ｆでサスペンションワイヤ３の最上部の上に位置し、下側の部分フォーカスコイル４２が最上部と最下部のサスペンションワイヤ３の間に位置しているのがわかる。
【００１９】
図３は、図２のアクチュエータをマグネット６とともに示す。ここでは、上側の部分フォーカスコイル４１と下側の部分フォーカスコイル４２が同じ形であり、フォーカス方向Ｆに相互に重ねられているのがわかる。
【００２０】
図４は、図３のアクチュエータ１とマグネット６の別の斜視図を示す。ここでは、マグネット６の下で、フォーカス方向Ｆに、アクチュエータ１の下部７がその側部を切断されており、その結果、レンズ２の下の空間がアクチュエータ１の側部の空間に広くつながっている。この図は、アクチュエータ１内で、レンズ２が、全体にとは言わないが大体において、上側の部分フォーカスコイル４１に囲まれており、このことが平らな全体のデザインに大きな貢献を構成している、ということも示している。
【００２１】
図５は、本発明によるアクチュエータ１の斜視図を各トラッキングコイル５及び各フォーカスコイル４１、４２とともに示す。マグネットが記載されていないため、コイル５、４１、４２のマグネットに対面していて他の図では隠れていた部分がここでは見えている。各トラッキングコイル５のうち、左のトラッキングコイルの右側部分５１及び右のトラッキングコイルの左側部分５２がマグネットに対面している。フォーカスコイル４１及び４２の中で、トラッキングコイル５の間の部分４１１及び４２１はマグネットに対面している。各コイルの前にマグネット６が記載されていた図４と比較して、上側の部分フォーカスコイルのマグネットに対面する部分４１１及び下側の部分フォーカスコイル４２のマグネットに対面する部分４２１は、各々マグネット６の上下端に近接していることがわかる。
【００２２】
図６はアクチュエータ１の断面図をグラフ８で示されたマグネット６の磁界の強さとともに示す。上側の部分フォーカスコイル４１及び下側の部分フォーカスコイル４２の両方が、磁界の強さを表すグラフ８の最大値に近接して配置されていることがわかる。この図は、上側の部分フォーカスコイル４１及び下側の部分フォーカスコイル４２が各々マグネット６の上端６１及び下端６２に近接していることも示している。
【図面の簡単な説明】
【００２３】
【図１】本発明によるピックアップの部品を斜視図で示す。
【図２】図１のピックアップを有するアクチュエータをサスペンションワイヤとマグネットとともに示す。
【図３】図２のアクチュエータをマグネットとともに示す。
【図４】図３のアクチュエータ及びマグネットを異なった斜視図で示す。
【図５】本発明によるアクチュエータをトラッキングコイル及びフォーカスコイルとともに斜視図で示す。
【図６】アクチュエータの断面図を磁界の強さとともに示す。
【符号の説明】
【００２４】
１  アクチュエータ
２  レンズ
３  サスペンションワイヤ
４１  上側の部分フォーカスコイル
４１１  上側の部分フォーカスコイルのマグネットに対面する部分
４２  下側の部分フォーカスコイル
４２１  下側の部分フォーカスコイルのマグネットに対面する部分
５  トラッキングコイル
５１  左のトラッキングコイルの右側部分
５２  右のトラッキングコイルの左側部分
６  マグネット
６１  マグネットの上端部
６２  マグネットの下端部
７  アクチュエータの下部
８  磁界の強さを表すグラフ
９  ピックアップ
【図１】
2007012255.tif 000003
【図２】
2007012255.tif 000004
【図３】
2007012255.tif 000005
【図４】
2007012255.tif 000006
【図５】
2007012255.tif 000007
【図６】
2007012255.tif 000008
【外国語明細書】
2007012255.tif 000009
2007012255.tif 000010
2007012255.tif 000011
2007012255.tif 000012
2007012255.tif 000013
2007012255.tif 000014
2007012255.tif 000015
2007012255.tif 000016
2007012255.tif 000017
2007012255.tif 000018
2007012255.tif 000019
2007012255.tif 000020
2007012255.tif 000021
2007012255.tif 000022
2007012255.tif 000023